(57)【要約】【課題】高率で流出する気体による周辺部への危険を排除する複合圧力容器を提供する。【解決手段】気体媒体を収納する内部空間（１４）を画定するライナ（１２）と、ライナ（１２）を取り囲み、圧力容器（１０）を形状的に安定させる被覆（１６）とを備える加圧された気体媒体を貯蔵する圧力容器（１０）であり、ライナ（１２）と被覆（１６）との間に気体透過性の中間層（３６）が設けられており、該中間層は、少なくとも１箇所において被覆（１６）の外側と接続され、ライナ（１２）を通り抜ける気体が、中間層（３６）を通って圧力容器（１０）から漏れ出ることができる。【選択図】図６
2013238319.tif 000002
【特許請求の範囲】
【請求項１】
気体媒体を収納する内部空間（１４）を画定するライナ（１２）と、該ライナ（１２）を取り囲み、圧力容器（１０）を形状的に安定させる被覆（１６）と、を備える、加圧された気体媒体を貯蔵する圧力容器（１０）であって、
前記ライナ（１２）と前記被覆（１６）との間に気体透過性の中間層（３６）が設けられており、該中間層は、少なくとも１箇所において前記被覆（１６）の外側と接続され、前記ライナ（１２）を通り抜ける気体が、前記中間層（３６）を通って前記圧力容器（１０）から漏れ出ることができることを特徴とする圧力容器。
【請求項２】
前記中間層（３６）が、少なくとも部分的に多孔質に形成されていることを特徴とする、請求項１に記載の圧力容器。
【請求項３】
前記中間層（３６）と前記被覆（１６）の外側との前記接続部分に、気体処理手段（３８）が配置されていることを特徴とする、請求項１又は２に記載の圧力容器。
【請求項４】
前記気体処理手段（３８）が、酸化触媒コンバータを有することを特徴とする、請求項３に記載の圧力容器。
【請求項５】
前記気体処理手段（３８）が、前記中間層（３６）に気体処理剤を含浸させることによって形成されていることを特徴とする、請求項３又は４に記載の圧力容器。
【請求項６】
前記中間層（３６）と前記被覆（１６）の外側との前記接続部分が、前記圧力容器（１０）のネック部分に設けられていることを特徴とする、請求項１〜５に記載の圧力容器。
【請求項７】
前記中間層（３６）と前記被覆（１６）の外側との前記接続部分が、前記圧力容器（１０）の充填開口部及び／又は排出開口部（２２）の部分に設けられていることを特徴とする、請求項１〜６に記載の圧力容器。
【発明の詳細な説明】
【技術分野】
【０００１】
本発明は、加圧された気体媒体を貯蔵する圧力容器に関する。本発明は、特に、請求項１又は請求項５の前提部分に基づく、そのような圧力容器に関する。
【背景技術】
【０００２】
このような圧力容器は、複合圧力容器とも呼ばれ、例えば特許文献１から知られている。これらは、気体媒体を収納する内部空間を区切るライナと、このライナを取り囲み、圧力容器の形状安定に作用する被覆とを有している。このライナは、通常、プラスチック材からなり、被覆は繊維複合材料から形成されている。
【０００３】
このような種類の圧力容器は、例えば、燃料電池システムの水素タンクとして用いられ、気体状の水素を数百バールの正圧で貯蔵することができる。
【０００４】
長期間の使用年数を経て、このような複合圧力容器を処分する際、気体水素が圧力容器の被覆から比較的高い割合で流出することが確認されている。このことから、流出する水素による危険度を軽減する圧力容器が必要となる。
【０００５】
さらに、特許文献２から高温の水素を収納する多層の圧力容器が知られており、この場合、壁の最内部の金属層を通り抜ける水素は、容器壁の外側の金属層の水素浸食及び／又は脆化を防ぐために、最内部の金属層の間にあるスペースから排出される。
【０００６】
特許文献３は、内部タンクと外部タンクとを備える複合圧力容器を説明している。内部タンクを通り抜ける水素の浸食から外部タンクを保護し、それによって圧力容器全体の耐久性を向上させるため、内部タンクと外部タンクとの間に触媒層が設けられており、この触媒層が水素を安定した化合物に変換する。
【先行技術文献】
【特許文献】
【０００７】
【特許文献１】欧州特許出願公開第０７５３７００Ａ１号明細書
【特許文献２】独国特許出願公開第３３０８２７６Ａ１号明細書
【特許文献３】特開第２００７−２７８４８２号公報
【発明の概要】
【発明が解決しようとする課題】
【０００８】
本発明の課題は、高率で流出する気体による周辺部への危険を排除する、冒頭に述べた種類の複合圧力容器を提供することである。
【課題を解決するための手段】
【０００９】
この課題は、ライナを通り抜ける気体媒体が、継続的に、低率で圧力容器から周辺に排出されることにより、長期の使用年数を経て圧力容器を処分する際に、高率で気体媒体が一気に流出するのを防ぐことによって解決される。すなわち、ライナを通過する気体がライナと被覆との間にあるポケットの中に集まっており、次に、圧力容器を処分する際にライナと被覆とが分離されて、高い割合で気体が一気に圧力容器から周辺に流出することが防止される。
【００１０】
本発明の第１の視点に基づき、加圧された気体媒体を貯蔵する圧力容器は、気体媒体を収納する内部空間を限定するライナと、このライナを取り囲み、圧力容器を形状的に安定させる被覆と、を有している。本発明に基づき、この圧力容器の被覆は少なくとも部分的に気体透過性に形成されているため、ライナを通り抜ける気体は、被覆を通って圧力容器から漏れ出ることができる。
【００１１】
少なくとも部分的に気体透過性の被覆を備える、このような圧力容器の構造により、ライナを通過する気体を、継続的に、低率で圧力容器から周辺へ排出することができるようになる。この方法により、ライナを通過する気体がライナと被覆との間に溜まり、その気体が圧力容器を処分する際に、高率で一気に周辺に排出されるのを防止する。
【００１２】
本  発明の実施形態では、圧力容器の被覆が、少なくとも部分的に多孔質に形成されている。例えば、圧力容器の被覆は、樹脂材料により結合されている繊維材料から形成され、硬化した状態の樹脂材料は、少なくとも部分的に多孔質である。
【００１３】
代替又は追加の方法として、圧縮容器の被覆には、決められた箇所に穴が設けられており、この穴は、被覆の内側とその外側とをつないでいる。
【００１４】
本発明のもう１つの実施形態では、圧力容器の被覆の外側にコーティング（ラッカコートなど）が施されており、このコーティングは、少なくとも気体を通す被覆部分において同様に気体透過性に形成されている。
【００１５】
本発明の第２の視点に基づき、加圧された気体媒体を貯蔵する圧力容器は、気体媒体を収納する内部空間を限定するライナと、このライナを取り囲み、圧力容器の形状を安定させる被覆と、を有している。本発明に基づき、ライナと被覆との間に気体透過性の中間層が設けられており、この中間層は、少なくとも１箇所において被覆の外側と接続されているため、ライナを通り抜ける気体は、この中間層を通って圧力容器から漏れ出ることができる。
【００１６】
ライナと被覆との間に少なくとも部分的に気体透過性の中間層が備えられている圧力容器の構造により、ライナを通過する気体を、継続的に、低率で圧力容器から周辺へ排出させることができるようになる。この方法により、ライナを通過する気体がライナと被覆との間に集まって、その気体が圧力容器を処分する際に、高率で周辺に一気に排出されることを防止する。
【００１７】
本発明の実施形態では、中間層が、少なくとも部分的に多孔質に形成されている。
【００１８】
本発明のもう１つの実施形態では、中間層と被覆外側との接続部分に気体処理手段が配置されており、これは、例えば、該当する気体処理剤を中間層に含浸させることによって形成されている。
この気体処理手段は、例えば、酸化触媒コンバータを有することができる。圧縮容器に貯蔵されている気体媒体が水素である場合、ライナを通過し、中間層を通って流れる水素は、この酸化触媒コンバータにより酸化されて水になるため、危険なく周辺に排出することができる。
【００１９】
本発明のもう１つの実施形態では、中間層と被覆の外側とをつなぐ接続部分が、圧縮容器のネック部分に設けられている。この場合、それは、圧縮容器の充填開口部及び／又は排出開口部であるのが好ましい。
【００２０】
本発明の上述した特徴及び利点並びにその他の特徴及び利点は、以下に、添付の図を用いて好ましい実施例を説明することにより、より分かりやすくなる。
【図面の簡単な説明】
【００２１】
【図１】本発明の複合圧力容器の断面図である。
【図２】従来の複合圧力容器（処分前）の部分断面の拡大図である。
【図３】従来の複合圧力容器（処分後）の部分断面の拡大図である。
【図４】本発明の第１の実施例に基づく複合圧力容器（処分前）の部分断面の拡大図である。
【図５】第１の実施例に基づく複合圧力容器（処分後）の部分断面の拡大図である。
【図６】本発明の第２の実施例に基づく、複合圧縮容器の断面図である。
【発明を実施するための形態】
【００２２】
例えば７００バールの圧力下で気体水素を貯蔵する圧縮容器に基づき、以下に本発明を説明する。この圧縮容器は、例えば燃料電池システムに使用可能である。しかし、本発明は、この気体媒体、圧縮容器内部におけるこの圧力およびこの適用例に限定されない。
【００２３】
図１を用いて、まず、本発明を適用することのできる複合圧力容器の基本構造を詳しく説明する。
【００２４】
この複合圧力容器１０は、気体水素を収納する内部空間１４を画定しているライナ１２から形成されている。ライナ１２の製造には、例えば、プラスチック材料が使用される。このライナ１２は、被覆１６によって取り囲まれており、この被覆は、例えば樹脂含浸処理された炭素繊維などの繊維複合材料から形成され、圧力容器１０に必要な形状安定性を与えている。ライナ１２と被覆１６の製造材料は、しかし、前述のこれらの材料に限定されない。同様に、本発明は、被覆１６の特殊な形状（例えば、軸方向及び／又は接線方向及び／又はある角度に調整された繊維の巻付け方向など）及びライナ１２と被覆１６の特殊な厚さ寸法に限定されない。圧力容器の基本構造が、当業者にはすでに従来の技術から知られているため、当業者は、それぞれの要求（例えば、気体の種類、圧力、適用領域など）に対応する実施形態を問題なく設計することができるであろう。
【００２５】
図１の実施形態においては、圧力容器１０が、２つのネック部分（図の上部又は下部）を有しており、それぞれに開口部２２が設けられ、この開口部はネックピース１８または２０によってシールされているか、又は塞がれている。ネックピースによって塞がれていない開口部２２（図の上部）には、好ましくはバルブ２４が配置されている。本発明は、ネックピース１８、２０の特殊な実施形態に限定されない。さらに、圧力容器１０の両方のネック部分に、圧力容器１０を補助的に安定させるキャップを設けることもできる。また、圧力容器１０は、選択的に、バルブ２４が取り付けられた２つの開口部２２を用いて形成することもできる。さらに、圧力容器１０の形状も、図１に示されている２つのネック部分を備えるものに限定されない。
【００２６】
また、被覆１６の外側には、例えばラッカコートの形でコーティング２６が施されている。
【００２７】
図２及び３に基づいて、次に、従来の圧縮容器から流出する水素の問題を説明する。
【００２８】
圧力容器１０の内部空間１４には、例えば、約７００バールの圧力において気体水素が貯蔵される。時間の経過とともに、ある程度の量の水素がライナ１２から放散する（図２の矢印２８を参照）。ライナ１２を通過する気体水素の大部分は、ライナ１２と被覆１６との間にあるポケット３０の中に集まる。僅かな量の水素が、おそらく被覆１６の細孔又は穴３２を通って周辺へ達する。巨視的には被覆１６がライナ１２に同一平面状に接していることにより、ライナ１２の内部空間１４内が高圧の場合、この溜まった水素が被覆内に僅かしかない小さい穴３２へ自由に入り込むことは強く妨げられる。
【００２９】
圧力容器１０の使用年数が長い場合、ライナ１２と被覆１６との間のポケット３０に水素が溜まって圧力が上昇し、極端な場合、ライナ１２が変形する可能性もある。
【００３０】
長期の使用年数の後に、圧力容器１０が処分されるか、又は特定の量の水素が内部空間１４から抜き出されると、内部空間１４の圧力が低下するため、ライナ１２と被覆１６との間のポケット３０に溜まった水素によって正圧が生じる。この正圧は、図３に示されているように、ライナ１２を被覆１６の内側から分離する作用があり、やはりライナ１２の変形を引き起こすおそれがある。この分離（図３の二重矢印を参照）により、ポケット３０から細孔／穴３２へ、さらに被覆１６の外側へ通じる気体水素の流路が生じるため、ライナ１２を通過する水素は圧力容器１０から漏れ出ることができる。
【００３１】
このようにして、長期間の使用年数の後で圧力容器１０を処分する際には、ライナ１２を通って放散した水素が、比較的高率で圧力容器１０から一気に流出することになる。
【００３２】
圧力容器１０から高率で流出する水素による周辺への危険を防ぐため、本発明に基づき、圧力容器１０の使用期間が長期である場合は、ライナ１２と被覆１６間の上述の圧力上昇を防止することが提案される。この目的のため、本発明においては、様々な対策が実施される。
【００３３】
本発明に基づく圧力容器の第１の実施例を、図４及び図５に基づいて説明する。
【００３４】
この実施例の圧力容器１０は、従来の圧力容器同様に、気体水素を収納する内部空間１４を画定するライナ１２と、このライナ１２を取り囲む被覆１６から形成されている。この圧力容器１０の構造でも、使用期間が長期の場合には、内部空間１４が高圧である理由から、少量の水素がライナ１２を通って放散し（図４の矢印２８を参照）、まずライナ１２と被覆１６との間のポケット３０に集まる。
【００３５】
上述した従来の複合圧力容器と比べ、本実施例の圧力容器１０の場合は、被覆が少なくとも部分的に気体透過性に形成されている。そのために、被覆１６は、例えば多孔質に形成されている。追加又は代替の方法として、被覆１６の特定の箇所に穴３４が設けられており、これらの穴は、被覆１６の内側からその外側につながっている。この方法により、ライナ１２を通り抜ける気体水素は、継続的に、低率で被覆１６から外部へ排出される。水素が高い割合で突然放出される場合と比べ、外に出る気体水素によって圧力容器１０が周辺にもたらす危険度は、明らかに低下する。
【００３６】
この場合でも圧力容器１０を処分する際に、ライナ１２が被覆１６から多少剥がれて、それぞれのポケット３０の間で流路が生じても、図５に示されているように、長期間のうちに水素はすでに被覆１６から均等に流出しているため、ライナ１２と被覆１６との間で特記すべき圧力の上昇は起こらないため、この状態で大量の水素が放出されることはない。
【００３７】
被覆１６は、少なくとも部分的に気体透過性に形成されている。しかし、本発明の好ましい実施形態では、この被覆が、実質的に被覆全体にわたって気体透過性に形成されている。
【００３８】
図１に示されているように、被覆１６がラッカコート２６または同様のものでコーティングされている場合、この実施例においても、当然、このラッカコート２６も気体透過性でなければならない。これは、少なくとも、被覆１６が気体透過性に形成されている部分に該当する。
【００３９】
多孔質の被覆１６は、例えば、次のように形成することができる。被覆１６は、実質的に、被覆自体の圧縮強さを生み出す例えば炭素繊維と、この炭素繊維を結合させるための樹脂とから形成されている繊維複合材料からなる。この樹脂は、少なくとも部分的に多孔質に形成されている必要がある。それでも、当然ながら、被覆１６全体の強度及び圧力安定性が保証されている状態にしなければならない。結合に用いられる樹脂は、圧力容器１０の圧力安定性に貢献するためではなく、炭素繊維の結合を決定的要素とする。
【００４０】
多孔質の被覆１６の製造には、例えば、硬化の際に、内部の強い応力により、十分な数の微小亀裂を形成する樹脂が使用される。しかし、これらの微小亀裂が、被覆１６の完全な破損を引き起こしてしまってはならない。さらに、これらの微小亀裂は、水素を周辺に排出するのに不可欠であるため、被覆１６全体を通り抜ける接続が形成されていなければならない。
【００４１】
必要に応じて設けられる外側のラッカコート２６にも同様の仕様が当てはまる。このラッカコートは、同じく、上述の方法に従って製造することができ、水素排出に関して同じ条件を満たしていなければならない。
【００４２】
十分な数の適切な穴３４をあらかじめ指定した箇所に取り付けることは、詳細な説明を必要としない。これは、基本的に、任意の方法を用いることができる。
【００４３】
被覆１６の気体透過性は、もちろん、圧力容器１０の内部空間１４内にある気体に左右される。圧力容器１０に貯蔵されている気体媒体の種類に応じて、気体透過特性、すなわち細孔及び／又は孔３４などを適合させる必要がある。
【００４４】
本発明に基づく複合圧力容器の第２の実施例を、図６を用いて詳しく説明する。
【００４５】
こ  の実施例の圧力容器１０は、従来の圧力容器同様に、気体水素を収納する内部空間１４を画定するライナ１２と、このライナ１２を取り囲む被覆１６から形成されている。この圧力容器１０の構造でも、内部空間１４内の圧力が高いことにより、使用期間が長期の場合には、少量の水素がライナ１２を通って放散する。
【００４６】
上述した従来の複合圧力容器と比べ、図６による実施例の圧力容器１０の場合は、ライナ１２と被覆１６との間に気体を通す中間層３６が設けられている。この中間層３６は、例えば、圧力容器１０のネック部分（図６の上下）で、被覆１６の外側、すなわち圧力容器１０の周辺とつながっている。この方法により、ライナ１２を通り抜ける気体水素は、継続的に、低率で中間層３６から周辺へ排出される。水素が高い割合で突然放出される場合と比べ、外に出る気体水素によって圧力容器１０が周辺にもたらす危険度は、明らかに低下する。
【００４７】
被覆１６自体は、従来の圧力容器と同じように気密性に形成することができ、代替の方法として、例えばラッカコートの形でコーティング２６を施すこともできる。本発明に基づいて設けられている中間層３６は、例えば、少なくとも部分的に多孔質に形成されている。
【００４８】
さらに、中間層３６と圧力容器１０の周辺との接続部分、すなわち図６の実施例では充填開口部又は排出開口部２２のある圧力容器１０のネック部分に、気体処理手段３８が配置されている。この気体処理手段３８は、例えば、該当する気体処理剤を多孔質の中間層３６に含浸させることによって形成されている。
【００４９】
圧力容器１０の内部空間１４の中に気体水素を貯蔵する場合、この気体処理手段３８は、前述の接続部分で、水素を酸化して水にする酸化触媒コンバータを含んでいることが好ましい。このようにして発生する水は、液体又は蒸気の形で、後から中間層３６を通って流れ込む水素によって流出する。流出する水素による圧力容器１０の周辺への危険は、この実施例では完全に防止される。
【００５０】
多孔質の中間層３６の酸化触媒作用のある部品３８は、圧力容器１０の周辺への中間層３６の出口部分にのみに取り付けられており、この部分ではこの気体処理手段３８がなければ、水素が流出するようになっている。触媒作用のある部分３８は、例えば、多孔質の中間層３６に、溶解又は懸濁した形で触媒を含む液体を含浸させることによって製造することができる。この含浸処理した部分３８を熱によって後処理することにより、触媒の活性をさらに高めることができる。多孔質の中間層３６がすでにライナ１２の上に取り付けられている場合、このような熱による後処理は、ライナ１２が損傷を受けない温度範囲でのみ行われなければならない。
【００５１】
酸化触媒コンバータ３８は、水素を周辺に排出する通常出口の接続部分に配置されているため、触媒酸化に必要な酸素の十分な供給が保証されている。
【００５２】
ライナ１２を通り抜ける水素が常に排出されることにより、さらに、圧力容器１０を処分して、内部空間１４内の圧力が低下しても、ライナ１２と被覆１６との間には正圧が生じないため、ライナ１２の不均一な変形が防止される。
【００５３】
このとき、多孔質の中間層３６をライナ１２の上に取り付ける方法は、そのプロセスにおいても、次に被覆１６を取り付けるプロセスにおいても、ライナ１２を通り抜ける水素が気体処理手段３８の方へ排出されるように、多孔質の中間層３６を水素が触媒作用のある部品３８まで自由に通り抜けられることを保証しなければならない。
【００５４】
同様のことは、多孔質の中間層３６の塞がれていない端部に取り付けられる、含浸などによって製造される酸化触媒コンバータ３８にも該当し、それによって触媒コンバータ３８で発生する水を周辺に障害なく排出させることができる。
【図１】
2013238319.tif 000003
【図２】
2013238319.tif 000004
【図３】
2013238319.tif 000005
【図４】
2013238319.tif 000006
【図５】
2013238319.tif 000007
【図６】
2013238319.tif 000008